(57)【特許請求の範囲】
【請求項１】
ロール紙への印字を行う印字動作位置と、前記ロール紙のセッティングを行うセッティング作業位置とを有する印字装置であって、前記ロール紙を軸止するローラシャフトを保持するロール紙ホルダに、前記ロール紙への印字を行うための第１の保持部と、前記ロール紙のセッティングを行うための第２の保持部を設け、装置本体を前記セッティング作業位置から前記印字動作位置に移行させるにともない、前記ロール紙が前記ロール紙ホルダーの第２の保持部から第１の保持部へ自動的に移動することを特徴とする印字装置。
【請求項２】
装置本体をセッティング作業位置から印字動作位置に移行させる際に、第２の保持部に保持されたロール紙を第１の保持部へ押し出すためのロール紙押し出し部を設けたことを特徴とする請求項１記載の印字装置。
【請求項３】
ロール紙押し出し部が、装置本体を収納するケースの一部で構成されていることを特徴とする請求項２記載の印字装置。
【請求項４】
２つ以上の部材から構成され、印字された記録紙をガイドする筒状のガイド部と、装置本体の一部または全体を覆う開閉自在に設けられたカバーとを有し、前記ガイド部を構成する部材の一方を前記カバー側に設けるとともに、他方を前記装置本体側に設け、前記カバーを閉じることにより前記筒状のガイド部が形成されることを特徴とする請求項１記載の印字装置。
【請求項５】
記録紙がカバー側にカールして排紙される方向にロール紙を保持するとともに、前記カバー側に設けられたガイド部を構成する部材の表面粗さを低くしたことを特徴とする請求項４記載の印字装置。
【請求項６】
カバー側に設けられたガイド部を構成する部材を金属で構成したことを特徴とする請求項５記載の印字装置。
【発明の詳細な説明】
【０００１】
【発明の属する技術分野】
本発明は、ロール紙の交換や紙詰まりの除去等が簡単に行える印字装置に関するものである。
【０００２】
【従来の技術】
一般に、この種の印字装置は、図５のような構成を有していた。すなわち、図において、１１はロール紙であり、装置本体の背面に設けられたロール紙ホルダ１２により軸支され、プリンタ部１３で印字が行われた後、カッター部１４を介して排紙されるように構成されていた。
【０００３】
【発明が解決しようとする課題】
しかしながら、上記従来の構成では、ロール紙１１の交換や紙詰まりの除去等で、ロール紙１１をプリンタ部１３に再セッティングする際に、ロール紙ホルダ１２に保持されたロール紙１１の先端をプリンタ部１３の給紙口（図示せず）に挿入してやる必要があるが、それを行う場合、従来の構成ではロール紙１１とプリンタ部１３との隙間が非常に狭いため、簡単にうまくロール紙ホルダ１２に保持されたロール紙１１の先端をプリンタ部１３の給紙口に挿入することができず、またロール紙１１とプリンタ部１３との間で発生した紙詰まりを簡単にうまく取り除くことができず、さらにロール紙１１とプリンタ部１３との隙間を広く確保すると装置の小型化が図れないという課題を有していた。
【０００４】
本発明はこの課題を解決するためのものであり、非常に簡単な構成でロール紙の交換や紙詰まりの除去等が簡単に行える小型の印字装置を提供することを目的とする。
【０００５】
【課題を解決するための手段】
この目的を達成するために本発明の印字装置は、ロール紙を保持するロール紙ホルダに、前記ロール紙への印字を行うための第１の保持部と、前記ロール紙のセッティングを行うための第２の保持部を設け、装置本体をセッティング作業位置から印字動作位置に移行させるにともない、前記ロール紙が前記ロール紙ホルダーの第２の保持部から第１の保持部へ移動するように構成されており、これにより、非常に簡単な構成でロール紙の交換や紙詰まりの除去等が簡単に行える小型の印字装置を実現することができる。
【０００６】
【発明の実施の形態】
本発明の請求項１に記載の発明は、ロール紙への印字を行う印字動作位置と、前記ロール紙のセッティングを行うセッティング作業位置とを有する印字装置であって、前記ロール紙を軸止するローラシャフトを保持するロール紙ホルダに、前記ロール紙への印字を行うための第１の保持部と、前記ロール紙のセッティングを行うための第２の保持部を設け、装置本体を前記セッティング作業位置から前記印字動作位置に移行させるにともない、前記ロール紙が前記ロール紙ホルダーの第２の保持部から第１の保持部へ移動することを特徴とする印字装置であり、これにより、ロール紙の交換や紙詰まりの除去等でロール紙を再セッティングする際に、あるいはロール紙を一時的に避難する際に、ロール紙を仮装着するための保持部が設けられているため、ロール紙を簡単にセッティングしたり、紙詰まりの除去を行ったりすることができるという作用を有する。
【０００７】
請求項２に記載の発明は、請求項１において、装置本体をセッティング作業位置から印字動作位置に移行させる際に、第２の保持部に保持されたロール紙を第１の保持部へ押し出すためのロール紙押し出し部を設けたことを特徴とする印字装置であり、これにより、使用者がわざわざロール紙を第２の保持部から第１の保持部へ移動させることなく、装置本体を元の位置に戻すだけで簡単にロール紙を所定の位置に保持することができるという作用を有する。
【０００８】
請求項３に記載の発明は、請求項２において、ロール紙押し出し部が、装置本体を収納するケースの一部で構成されていることを特徴とする印字装置であり、これにより、ロール紙押し出し部を装置本体を収納するケースの一部で兼用することができるという作用を有する。
【０００９】
請求項４に記載の発明は、請求項１記載の発明において、２つ以上の部材から構成され、印字された記録紙をガイドする筒状のガイド部と、装置本体の一部または全体を覆う開閉自在に設けられたカバーとを有し、前記ガイド部を構成する部材の一方を前記カバー側に設けるとともに、他方を前記装置本体側に設け、前記カバーを閉じることにより前記筒状のガイド部が形成されることを特徴とする印字装置であり、これにより、ガイド部内での記録紙の紙詰まりが生じても、簡単に取り除けるという作用を有する。
【００１０】
請求項５に記載の発明は、請求項４において、記録紙がカバー側にカールして排紙される方向にロール紙を保持するとともに、前記カバー側に設けられたガイド部を構成する部材の表面粗さを低くしたことを特徴とする印字装置であり、これにより、記録紙と先端が接する部分のガイド部の表面を滑りやすくすることができ、紙詰まりを起こしにくいという作用を有する。
【００１１】
請求項６に記載の発明は、請求項５において、カバー側に設けられたガイド部を構成する部材を金属で構成したことを特徴とする印字装置であり、これにより記録紙に帯電した静電気でガイド部に密着してしまい紙詰まりが起こるということを防止する作用を有する。
【００１２】
以下、本発明の一実施の形態について、図１から図４を用いて説明する。
（実施の形態１）
図１から図３は本発明の第１の実施の形態における印字装置の概略構成を示す図であり、図１は装置本体の開口状態を示し、図２はその閉口状態を示し、図３はその中間状態を示す。
【００１３】
図において、１はロール紙であり、ローラシャフト９により軸支されるとともに、装置本体の背面に設けられたロール紙ホルダ２により保持され、プリンタ部３で印字が行われた後、カッター部４を介して排紙されるように構成されている。また、カッター部４で所定の長さにカットされたカット紙１ａは、筒状のガイド部５を通って排出口６に落ちるように構成されている。
【００１４】
ここで、ロール紙ホルダ２には、ロール紙１への印字を行う際のロール紙１の保持を確実に行うための第１の保持部２ｂと、ロール紙１の交換や紙詰まりの除去等を行う際に、ロール紙１を仮装着するための第２の保持部２ａが設けられており、装置本体を収納するケースの一部に設けられたロール紙押し出し部７により、装置本体がケースに収納される動作にともない、ロール紙１を第２の保持部２ａから第１の保持部２ｂへと転がり移動、あるいはスライド移動するように構成されている。
【００１５】
なお、８はタッチパネルやキースイッチ等で構成された操作部であり、この操作部８からの指示に基づいて、ロール紙１への印字が行われるように構成されている。
【００１６】
以上のように構成された印字装置の動作を図１から図３を用いて説明する。図１に示されるように、ロール紙１の交換や紙詰まりの除去等を行うために、ロール紙１をロール紙ホルダ２の第２の保持部２ａに仮装着すると、プリンタ部３の上に大きな空間を作ることができるため、ロール紙１の先端をプリンタ部３の給紙口（図示せず）に挿入する際や、プリンタ部３上のロール紙１の紙詰まりを取り除く際の作業を非常に行いやすくすることができ、また図２に示されるように、装置本体が通常の印字動作位置に戻り、ロール紙１がロール紙ホルダ２の第１の保持部２ｂに保持されると、ロール紙１とプリンタ部３との間の空間を従来に比べかなり小さくすることができ、ロール紙ホルダ２、プリンタ部３、カッター部４等で構成されるプリンタユニット部分の小型化を図ることができる。
【００１７】
さらに、図３に示されるように、装置本体をロール紙のセッティング作業位置から通常の印字動作位置に戻す際に、ロール紙ホルダ２の第２の保持部２ａに仮装着されたロール紙１は、ロール紙押し出し部７と当接し（図３（ａ））、さらに戻すと、ロール紙１は第２の保持部２ａとの係合がはずれて、ロール紙ホルダ２の斜辺に沿って第１の保持部２ｂへと転がり移動、あるいはスライド移動するため（図３（ｂ））、装置本体を元に戻すだけで、ロール紙１への印字が可能な状態に戻すことができ、ロール紙１の交換や紙詰まりの除去等を短時間で簡単にしかも確実に行うことができる。
【００１８】
なお、本実施の形態では、装置本体をその下端部側を軸に開閉自在に構成したが、これに限定されるものではなく、その上端部側あるいはその左右の側端部側を軸に開閉自在に構成しても同様の効果が得られる。
【００１９】
（実施の形態２）
図４は本発明の第２の実施の形態における印字装置の構成を示し、実施の形態１と同一の構成については、同一の番号を付してその説明を省略する。
【００２０】
図において、筒状のガイド部５は第１のガイド部材５ａと第２のガイド部材５ｂとから構成されており、第１のガイド部材５ａは、装置本体の一部または全体を覆うように設けられたカバー１０の裏面側に設けられ、第２のガイド部材５ｂは装置本体部側に設けられ、カバー１０を閉じることにより、筒状のガイド部５が形成されるように構成されている。
【００２１】
また、ロール紙１はカバー側にカールして排紙されるようにロール紙ホルダ２に保持されており、カット紙１ａはほとんどの場合、カバー１０の裏面側に設けられた第１のガイド部材５ａとその先端が接するため、第１のガイド部材５ａの表面粗さを低くしたり、複数のリブを設けて接触面積を減らしたり、あるいは金属等の導電性材料を用いてカット紙１ａに帯電した静電気を除電したりして、カット紙１ａの先端部が引っかかって紙詰まりが起こることを防止している。
【００２２】
以上のような構成により、印字されたカット紙１ａがスムーズに確実に排出口６から取り出せるとともに、紙詰まりが起こったとしても、カバー１０を開けるだけで簡単にそれを取り除くことができる。
【００２３】
なお、本実施の形態では、カバーをその下端部側を軸に開閉自在に構成したが、これに限定されるものではなく、その上端部側あるいはその左右の側端部側を軸に開閉自在に構成しても同様の効果が得られる。
【００２４】
【発明の効果】
以上の説明から明らかなように、本発明によれば、ロール紙の交換や紙詰まりの除去等でロール紙を再セッティングする際に、あるいはロール紙を一時的に避難する際に、ロール紙を仮装着するための保持部が設けられているため、十分な作業スペースを確保することができ、ロール紙を簡単にセッティングしたり、紙詰まりの除去を行ったりすることができる。また、装置本体を元の位置に戻すだけで簡単にロール紙を所定の位置に保持することができ、ロール紙の交換や紙詰まりの除去等を短時間で簡単にしかも確実に行うことができる小型の印字装置を実現することができる。
【図面の簡単な説明】
【図１】本発明の第１の実施の形態における印字装置のセッティング作業位置の開口状態の概略構成を説明するための構成図
【図２】同実施の形態の通常の印字動作位置の閉口状態の概略構成を説明するための構成図
【図３】同実施の形態の中間状態の概略構成を説明するための構成図
【図４】本発明の第２の実施の形態における印字装置の概略構成を説明するための構成図
【図５】従来の印字装置の概略構成を説明するための構成図
【符号の説明】
１  ロール紙
２  ロール紙ホルダ
２ａ  第２の保持部
２ｂ  第１の保持部
３  プリンタ部
４  カッター部
５  ガイド部
５ａ  第１のガイド部材
５ｂ  第２のガイド部材
６  排出口
７  ロール紙押し出し部
８  操作部
９  ローラシャフト
１０  カバー
【図１】
0003635863.tif 000002
【図２】
0003635863.tif 000003
【図３】
0003635863.tif 000004
【図４】
0003635863.tif 000005
【図５】
0003635863.tif 000006